(57)【要約】      （修正有）【課題】フラップテーブルの天板の下面に引き出しを備えて、一時的に使用しない書籍、小物等を引き出しに収納して、天板上面の有効利用を図ることができる様に構成したフラップテーブルを提供する。【解決手段】起倒可能な天板９の下面に、引き出し１１を設ける。また、天板の回転中心６より着席側下面に、前記引き出しを、その引き出し方向が着席側となるようにして設けるとともに、引き出しを、その収納された所定位置から天板の反着席側へ移動することを阻止するように構成する。さらに、引き出しを収容物を外部から透視出来るように、透明材で形成しても良い。【選択図】図２
0003173909.tif 000002
【実用新案登録請求の範囲】
【請求項１】
起倒可能な天板の下面に、引き出しを設けたことを特徴とするフラップテーブル。
【請求項２】
天板の回転中心より着席側下面に、前記引き出しを、その引き出し方向が着席側となるようにして設けるとともに、引き出しを、その収納された所定位置から天板の反着席側へ移動することを阻止するようにしたことを特徴とする請求項１記載のフラップテーブル。
【請求項３】
引き出しを透明材で形成したことを特徴とする請求項１又は２記載のフラップテーブル。
【考案の詳細な説明】
【技術分野】
【０００１】
本考案はフラップテーブルに関する。
【背景技術】
【０００２】
従来、会議室等において使用されるフラップテーブルにおいては、特定の人が常時使用するものではないことから、引き出しを備えていない。
【考案の概要】
【考案が解決しようとする課題】
【０００３】
前記従来の引き出しを備えていないフラップテーブルにおいては、そのテーブルの使用中において、一時的に使用しない書籍や小物等を天板上に置くことになり、これが、天板上の使用面積を狭くしたり、邪魔になる問題がある。
【０００４】
そこで本考案は、フラップテーブルの天板の下面に引き出しを備え、前記のような一時的に使用しない書籍、書類、小物等を引き出しに収納し、天板上面の有効利用を図るフラップテーブルを提供することを目的とするものである。
【課題を解決するための手段】
【０００５】
前記の課題を解決するために、請求項１記載の考案は、起倒可能な天板の下面に、引き出しを設けたことを特徴とするものである。
【０００６】
請求項２記載の考案は、天板の回転中心より着席側下面に、前記引き出しを、その引き出し方向が着席側となるようにして設けるとともに、引き出しを、その収納された所定位置から天板の反着席側へ移動することを阻止するようにしたことを特徴とするものである。
【０００７】
請求項３記載の考案は、請求項１又は２記載の考案において、引き出しを透明材で形成したことを特徴とするものである。
【考案の効果】
【０００８】
本考案によれば、フラップテーブルの不使用時には、一時的に使用しない書籍や小物等を引き出し内に収納でき、これが天板上での使用面積を狭くしたり、邪魔になる問題を解消できる。
【０００９】
請求項２の考案によれば、使用時に天板を起立した際にも、引き出しが、引き出しの出し入れ口より落下することがない。
【００１０】
請求項３の考案によれば、引き出し内の収納物が外部より透視でき、収納物の置き忘れを防止できる。
【図面の簡単な説明】
【００１１】
【図１】本考案の実施例１を示す正面図。
【図２】図１の左側面図。
【図３】図１のＸ−Ｘ線拡大断面図。
【図４】図１の底面図。
【図５】実施例１の複数のフラップテーブルを、その天板を起立させて重ねた不使用状態の側面図。
【図６】本考案の実施例２を示す正面図。
【図７】図１の左側面図。
【図８】図１の底面図。
【図９】実施例２の複数のフラップテーブルを、その天板を起立させて備えた不使用状態の側面図。
【考案を実施するための形態】
【００１２】
本考案の実施例１を図１〜５に基づいて説明する。
なお、以下において、フラップテーブル１における着席側を前側Ａとし、反着席側を後側Ｂとし、図１の着席側から見て左側をＣとし、右側をＤとする。
【００１３】
支脚は、左側の前後脚２ａ，２ｂからなる左支脚２と、右側の前後脚３ａ，３ｂからなる右支脚３とからなる。
【００１４】
前記左右の支脚２，３の上端部には、取付部材４，４が固設され、これら両取付部材４，４に回転軸６が左右方向に水平状態で設けられている。
【００１５】
前記左右の支脚２，３の下端には、車輪７が備えられており、フラップテーブル１を車輪７によって移動できるようになっている。
【００１６】
前記回転軸６には、支持板８が、回転軸６を中止として回転可能に備えられており、該左右の支持板８，８は天板９の下面に固着されている。したがって、天板９は、回転軸６を中心として前後方向に回転し、図２に示す水平姿勢の倒伏形態と、図５に示す傾斜姿勢の起立形態とに起倒可能に設けられている。
【００１７】
また、前記天板９の倒伏形態と起立形態は夫々、ロックレバー１０の操作によりロックできるようになっている。このロック機構は周知の構成を採用しており、その詳細な説明は省略する。
【００１８】
前記天板９の前部下面、すなわち、天板９の回転軸６より着席側の下面には、引き出し１１が備えられている。
【００１９】
該引き出し１１は、引き出し受け部１２により前後方向に摺動可能に支承されている。該引き出し受け部１２は、上端を天板９の下面に固着した、両側枠１２ａ，１２ｂ及び後枠１２ｃと、これら各枠１２ａ〜１２ｃの下端に固着した底板１２ｄとからなり、前側Ａに出し入れ口１２ｅを有し、平面形状が方形状の収納空間１２ｆを形成している。また、前記後枠１１ｃが、引き出し１１を、その収納された所定位置から天板の反着席側へ移動するのを阻止する部材となっている。
【００２０】
前記引き出し１１は、前後枠１１ａ，１１ｂ及び左右枠１１ｃ，１１ｄと底板１１ｅからなり、上側に開口部１１ｅを有する箱形に形成され、前記収納空間１２ｆ内に、その出し入れ口１２ｅより出し入れ可能に収納されている。また、該引き出し１１の平面形状は、その各枠１１ａ〜１１ｄが前記収納空間１２ｆの内周面に近接する方形状に形成されている。更に、該引き出し１１の前枠１１ａの前面には堤手部１１ｆが形成されている。
【００２１】
前記引き出し１１及び引き出し受け部１２は、透明材、不透明材、合成樹脂材、金属材等、所望の材料で形成するものであるが、実施例においては、透明な合成樹脂材で形成した。
【００２２】
前記引き出し１１及び引き出し受け部１２は、図１，４に示すように、天板９の左右方向において、３個等間隔に配設されている。
前記引き出し１１、すわなち、引き出し受け部１２の上下幅（高さ）Ｌ１は、前記支持板８の上下幅（高さ）Ｌ２よりも小さく設定され、図５に示すように、複数のフラップテーブル１，１を、その天板９を起立させて並べ収納した場合に、引き出し１１、すなわち、引き出し受け部１２が、隣接するフラップテーブル１に当らないようになっている。
【００２３】
前記天板９の後端には、幕板１３が回転可能に備えられている。
以上の構成において、フラップテーブル１の使用時には、天板９を図２に示すように水平姿勢にする。この状態で引き出し１１内へ収納物を収納する場合には、引き出し１１を前側Ａ方向へ引き出し、これに収納物を入れた後、引き出し１１を、天板９の下面部へ押し込んで収納する。
【００２４】
また、収納物を取り出す場合は、前記と逆の操作で行う。
次に、フラップテーブル１の不使用時には、天板９の前側Ａ部を上方へ押し上げ、天板９を、回転軸６を中心として図５に示すように起立させる。
この不使用状態の複数のフラップテーブル１は、図５に示すように相互に重ねることができる。
【００２５】
本実施例においては、次のような効果を奏する。
フラップテーブル１の使用時には、一時的に使用しない書籍や小物等を、引き出し１１内に収納でき、これが天板９上での使用面積を狭くしたり、邪魔になる問題を解消できる。
【００２６】
また、引き出し受け部１２の出し入れ口１２ｅを天板９の前側Ａに設け、天板９の奥部側に後枠１２ｃを設けたので、フラップテーブル１の不使用時に、天板９を図５に示すように起立させた場合に、引き出し１１が引き出し受け部１２の後枠１２ｃに支承され、出し入れ口１２ｅから落下することがない。
【００２７】
また、引き出し１１及び引き出し受け部１２を透明材で形成したので、引き出し１１内の収納物が引き出し１１の外部より透視でき、収納物の置き忘れを防止できる。
［実施例２］
図６〜９は本考案の実施例２を示す。
【００２８】
前記実施例１は、左右方向に長い長方形の天板９を有する３人用のフラップテーブルにおいて、その長手方向に３個の引き出しを設けたが、この引き出しは１個又は所望の複数個設けるものである。例えば、図６〜９に示すように、天板９が略正方形の一人用のフラップテーブル１において、前記実施例１と同様の引き出し１１を１個、天板９の下面に前記と同様に設けてもよい。
【００２９】
その他の構造は、前記実施例１と同様であるため、前記と同様の部分には前記と同様の符号を付してその説明を省略する。
【００３０】
本実施例２においても、前記実施例１と同様の作用、効果を発揮する。
【符号の説明】
【００３１】
１  フラップテーブル
２，３  支脚
４  取付部材
９  天板
１１  引き出し
１２  引き出し受け部
【図１】
0003173909.tif 000003
【図２】
0003173909.tif 000004
【図３】
0003173909.tif 000005
【図４】
0003173909.tif 000006
【図５】
0003173909.tif 000007
【図６】
0003173909.tif 000008
【図７】
0003173909.tif 000009
【図８】
0003173909.tif 000010
【図９】
0003173909.tif 000011